(57)【要約】【課題】等間隔で繰り出された枚葉用紙をフィルムシートの連続被覆により連続状態とした後に、連続用紙の折り畳み装置で折りたたむに際して、前後する枚葉用紙を繋ぐ露出したフィルムシート部分で発生するぶれによるジャミングや破れ、皺の発生を防止する折り畳み装置を提供する。【解決手段】連続用紙の折り畳み装置のくせ折り部を構成する部材に回転体を用いることにより解決される。【選択図】図８
2015113238.tif 000002
【特許請求の範囲】
【請求項１】
連続用紙の折り畳み装置のくせ折り部を構成する部材に回転体を用いたことを特徴とした折り畳み装置。
【発明の詳細な説明】
【技術分野】
【０００１】  本発明は、連続用紙或いは枚葉用紙であっても例えばフィルムシートの連続ラミネートにより恰も連続状態となった用紙の折り畳み装置に関するものである。
【背景技術】
【０００２】  複数の葉片が剥離可能に折り畳まれた葉書等の情報通信体の製造方法として、例えば特開２０１０−１２７６１号に開示される情報通信体の製造方法がある。
また、例えば、前記情報通信体等の連続用紙を折り畳む手段として、例えば特開２０１２−２１４２９０号に開示される連続用紙の折り畳み装置における用紙折り込み手段を用いた折り畳み装置がある。
【先行技術文献】
【特許文献】
【０００３】
【特許文献１】特開２０１０−１２７６１号公報
【特許文献２】特開２０１２−２１４２９０号公報
【発明の概要】
【発明が解決しようとする課題】
【０００４】  前記特許文献１により葉書等の情報通信体を製造するに当たり、折り畳み部分に前記特許文献２の折り畳み装置或いは業界でアングルやくせ折り機と称する公知の折り畳み装置を使用することに問題はない。【０００５】  然るに、連続用紙であれば何ら問題なく前記折り畳み装置を通過できるのであるが、特許文献１の葉書等の情報通信体の場合、枚葉用紙がフィルムシートの被覆により連続状態になっているのであるが、前後する枚葉用紙に間隔があり、その部分はフィルムシートのみが露出した状態で繋がっている。【０００６】  即ち、連続用紙であれば、連続的に既述の折り畳み装置において、前記折り畳み装置内の同一通過ラインをトレースすることができるのであるが、前記特許文献１の場合には、剛性のないフィルムによる繋ぎ目部分が露出しているため、その部分が原因で、通過中に用紙がよれたり通過ラインから逸脱して、折り畳み装置を構成するガイド部品等と干渉して破れや皺が発生したガイド部品の破損等を起こすのである。【０００７】  本発明は、連続用紙は勿論、フィルムシートの連続被覆により間隔を開けながら連続用紙の態様となった用紙の折り畳み装置において、前記折り畳み装置を構成するガイド部品等と干渉せず、通過用紙に破れや皺が発生することなく、またガイド部品の破損も起こすことがない折り畳み装置を提供することを目的としている。
【課題を解決するための手段】
【０００８】  上記目的を達成するために、本発明の折り畳み装置は、連続用紙の折り畳み装置のくせ折り部を構成する部材に回転体を用いたことを特徴としている。【０００９】  前記回転体は単数或いは複数で構成される。また回転方向は接触しながら各種用紙の流れ方向に対して無理なく回転する向きに配置すればよいが、斜めに配置して意図的に抵抗を発生させて回転するようにしてもよい。【００１０】  前記回転体の材質は金属、樹脂、セラミック、木材、紙等を工程に使用することができるがこれに限られるものではない。また用紙が通過する際の摩擦を減らすために表面をフッ素処理してもよい。逆に用紙が通過する際に若干のブレーキが掛かるようにしても構わない。【００１１】  本件発明を構成する回転体の代表例として球状体が好適に使用できる。しかし必ずしもそれに限られる訳ではなく、通過用紙と接触する部分或いは挟み込む部分が抵抗の少ない局面で形成された部材を好適に使用することができる。
【発明の効果】
【００１２】  本発明の折り畳み装置によれば、フィルムシートにより連続的に被覆されて連続用紙の態様となった枚葉用紙を、連続用紙に対応した折り畳み装置により折り畳む際に、剛性のないフィルムによる繋ぎ目部分でよれたり通過ラインから逸脱して、折り畳み装置を構成するガイド部品等と干渉して通過用紙に破れや皺が発生したり、ガイド部品の破損等を起こすことがなくなる。
【図面の簡単な説明】
【００１３】
【図１】（Ａ）及び（Ｂ）は本実施例で使用する枚葉用紙Ｓの表面図及び裏面図である。
【図２】図１の枚葉用紙Ｓが順次繰り出され疑似接着予定面に連続的に疑似接着フィルムシートＧ（図中斜線で表示）が被覆された状態を示す平面図である。
【図３】図２の連続状態になった枚葉用紙Ｓの余白部分Ｙを切除した状態を示す平面図である。
【図４】折り畳み装置により連続的に二つ折り状態に折り畳まれた枚葉用紙Ｓの平面図である。
【図５】従来の基本的な構成の折り畳み装置により用紙を連続的に二つ折り状態に折り畳む様子を示す平面図である。
【図６】従来の基本的な構成の折り畳み装置により用紙を連続的に二つ折り状態に折り畳む様子を示す斜視図である。
【図７】本発明の折り畳み装置におけるくせ折り部を構成する球体１６の動作を示す斜視図である。
【図８】図７のくせ折り部を用紙が折り畳まれながら通過する様子を示す要部概略図である。
【図９】くせ折り部等の折り畳み装置を構成する各種部材と通過する用紙の折り込まれた背部分（図中二点鎖線で表示）の位置関係を示す要部概略図である。
【図１０】本発明の折り畳み装置におけるくせ折り部の構造の一例を示す側面図（一部断面図）である。
【図１１】実施例１と異なる態様のくせ折り部を用紙が折り畳まれながら通過する様子を示す要部概略図である。
【図１２】図１１の折り畳み装置を構成する各種部材と通過する用紙の折り込まれた背部分（図中二点鎖線で表示）の位置関係を示す要部概略図である。
【図１３】回転体の異なる例を示す要部概略図である、
【発明を実施するための形態】
【００１４】  以下、本発明を、図面と共にわかりやすく説明する。
図１に示すように、本実施例で使用する枚葉用紙Ｓは、例えば二つ折り葉書用紙１が縦方向に２丁並んで印刷されている。このものは図１（Ｂ）に示す、裏面側（図示されていないが実際は個人的な情報や広告宣伝等の一般情報が記載されている）が折り合わされ隠蔽される面で疑似接着予定面となる。そして例えば、前記枚葉用紙Ｓを一枚ずつ等間隔で繰り出しながら、その裏面側に疑似接着フィルムシートＧを連続的に被覆することにより、図２に斜線で示すように枚葉用紙Ｓは疑似接着フィルムシートＧを介して連続状態になる。
【００１５】  そして図３に示すように、流れ方向の両外側の余白部分Ｙ（図２参照）をスリッター等で切除すると共に、図１及び２において二点鎖線で示されている折り予定線に、折りミシン２が連続的に形成される。
【００１６】  既述の通り連続状態となった枚葉用紙Ｓは、次に折り畳み装置により連続的に疑似接着フィルムシートＧが被覆されている裏面側が対向するように折り畳まれ、図４に示す状態で下流の次なる加工工程へと送り出されるのである。
【００１７】  ところで前記折り畳み装置は、例えば図５に示すように、基本的にサポートローラ１１及び１２、ガイドバー１３、バー１４、ブロック１５、球状の回転体１６及びガイド部材１７等により構成されている。そして図５及び６において二点鎖線で示される連続状態の枚葉用紙Ｓは、前記サポートローラ１１、１２を通過して、次にガイドバー１３を折りミシン２部分に押し当てるようにしてバー１４と球状の回転体１６の間で折り畳まれながら通過する。
【００１８】  前記バー１４と球体１６の間で折り畳まれた枚葉用紙Ｓは、一旦上方に引き上げられて下流の工程へ供されるのであるが、枚葉用紙Ｓと、前後する枚葉用紙Ｓ同士を繋いでいる露出した状態の疑似接着フィルムシートＧとは剛性の程度が著しく異なる。前記疑似接着フィルムシートは２枚貼り合わされた状態でせいぜい６０μｍ程度の厚みしかない柔らかなフィルムシートである。そのため折り合わせの際に強い力が加わる前記バー１４と球体１６の前後で、枚葉用紙Ｓの端部は激しく左右に振られ、特に露出した疑似接着フィルムシートＧの部分で大きく振られるため、ガイドバー１３、バー１４や球状の回転体１６等に枚葉用紙Ｓの端部が引っ掛かり、ジャミングや破れ、皺入り等の原因となるのである。
【実施例１】
【００１９】  本発明では、例えば図７に示すように、上方へ引き上げられる各種用紙に折りくせを付けるための構成部材の球状の回転体１６が、ブロックへの取付シャフトを軸に左右自在に回転可能となっている。そのため図８及び９に示すように、折り畳まれた枚葉用紙Ｓが通過するに当たり、僅かに傾きを持ちながら回転することになる。そして前記回転により球状の回転体１６とバー１４間を通過する枚葉用紙Ｓの抵抗が減少するため、ガイドバー１３、バー１４や球体１６等に枚葉用紙Ｓの端部が引っ掛かり、ジャミングや破れ、皺入り等の原因となるのを防ぐことができるのである。【００２０】  前記球状の回転体は、図１０に示すようにブロック１５と球状の回転体１６とが、２個のベアリング１８を装着したシャフト１９を介して連結されている。前記ベアリング１８の作用により球状の回転体１６は前記シャフト１９を軸に自由に回転することができるのである。
【実施例２】
【００２１】  前記実施例１では球状の回転体１６とシャフト１４の間を通過する枚葉用紙Ｓに折りくせを付ける構成であるが、本実施例では図１０及び１１に示すように、任意の間隔を設けた一対の回転自在な球状の回転体１６、１６間で通過する枚葉用紙Ｓに折りくせを付けるものである。一対の球状の回転体１６、１６は抵抗無く通過する枚葉用紙Ｓを下流（上方）へ送り出すことができるので前記実施例同様にガイドバー１３、バー１４や球状の回転体１６等に枚葉用紙Ｓの端部が引っ掛かり、ジャミングや破れ、皺入り等の原因となるのを防ぐことができる。
【実施例３】
【００２２】  実施例２の変形例で図１２に示すように、球状の回転体１６に代えて一対の任意の間隔を開けた先端が球面状の円柱からなる回転体を使用しても同様の作用効果を得られる。【００２３】  なお、本発明は上記実施例に限定されるものではない。
例えば、本実施例では、二つ折りの態様に関して記載されているが、三つ折り或いはそれ以上の折り形態にも適用可能である。
また、図５、６中のガイド部材１７の先端に設けられている球体を、前記実施例の球場の回転体１６と同様の回転自在の構成にしても構わない。
【符号の説明】
【００２４】Ｓ  枚葉用紙
Ｇ  疑似接着フィルムシート
Ｙ  余白部分
１  二つ折り葉書用紙
２  折りミシン
１１、１２  サポートローラ
１３  ガイドバー
１４  バー
１５  ブロック
１６  球状の回転体
１７  ガイド部材
１８  ベアリング
１９  シャフト
【図１】
2015113238.tif 000003
【図２】
2015113238.tif 000004
【図３】
2015113238.tif 000005
【図４】
2015113238.tif 000006
【図５】
2015113238.tif 000007
【図６】
2015113238.tif 000008
【図７】
2015113238.tif 000009
【図８】
2015113238.tif 000010
【図９】
2015113238.tif 000011
【図１０】
2015113238.tif 000012
【図１１】
2015113238.tif 000013
【図１２】
2015113238.tif 000014
【図１３】
2015113238.tif 000015